(57)【要約】【課題】  ファインダを観察したままの状態で継続して複数枚の画像の撮影を行った場合でも、撮影後に複数枚の画像を確認することができる撮像装置を提供する。【解決手段】  被写体からの光を撮像し画像データを出力する撮像部８と、前記被写体を観察する観察部と、前記画像データに基づく画像を表示する表示部２２と、前記観察部において観察が行われているか否かを検出する観察検出センサ３０と、前記観察部により観察が行われている間に前記撮像部により撮像された複数枚の画像を撮像された順序で１画像毎に前記表示部に表示する表示制御部２４とを備える。【選択図】  図１
2012129670.tif 000002
【特許請求の範囲】
【請求項１】
被写体からの光を撮像し画像データを出力する撮像部と、
前記被写体を観察する観察部と、
前記画像データに基づく画像を表示する表示部と、
前記観察部において観察が行われているか否かを検出する観察検出センサと、
前記観察部により観察が行われている間に前記撮像部により撮像された複数枚の画像を撮像された順序で１画像毎に前記表示部に表示する表示制御部と
を備えることを特徴とする撮像装置。
【請求項２】
前記観察検出センサが、前記撮像部による撮像が行われた直後に前記観察部における観察が行われていないことを検出した場合、前記表示制御部は前記複数枚の画像を撮像された順序で１画像毎に前記表示部に表示することを特徴とする請求項１記載の撮像装置。
【請求項３】
前記撮像部による撮像指示を行う操作部と、
前記操作部における操作が行われているか否かを検出する操作検出センサと
をさらに備え、
前記操作検出センサが、前記撮像部による撮像が行われた直後に前記操作部における操作が行われていないことを検出した場合、前記表示制御部は前記複数枚の画像を撮像された順序で１画像毎に前記表示部に表示することを特徴とする請求項１記載の撮像装置。
【請求項４】
前記表示制御部により表示される前記複数枚の画像うち、最初に表示する表示開始画像を指定する指定部をさらに備えることを特徴とする請求項１〜３の何れか一項に記載の撮像装置。
【請求項５】
前記表示開始画像は、前記観察検出センサにより前記観察部における観察が行われていることを検出した直後に前記撮像部により撮像された画像であることを特徴とする請求項１〜４の何れか一項に記載の撮像装置。
【請求項６】
前記表示開始画像は、前記観察部における観察が行われている間に前記撮像部により連写撮像された画像のうちの最初の画像であることを特徴とする請求項１〜４の何れか一項に記載の撮像装置。
【請求項７】
前記表示開始画像は、前記撮像部による動画撮影中に、前記撮像部により複数枚の静止画が撮像された場合、前記複数枚の静止画の中の最初の静止画であることを特徴とする請求項１〜４の何れか一項に記載の撮像装置。
【請求項８】
前記センサは、前記観察部に接眼していることを検出するアイセンサであることを特徴とする請求項１〜７の何れか一項に記載の撮像装置。
【請求項９】
前記観察部により観察が行われている間に前記撮像部により動画撮影を行う場合、前記表示制御部は、前記表示部にスルー画を表示するとともに、当該動画像を前記表示部の一部に表示することを特徴とする請求項１記載の撮像装置。
【請求項１０】
前記観察部は、光学ファインダであることを特徴とする請求項１〜９の何れか一項に記載の撮像装置。
【請求項１１】
前記表示部及び前記観察部は、電子ビューファインダであることを特徴とする請求項１、３、４、５、７及び８の何れか一項に記載の撮像装置。
【発明の詳細な説明】
【技術分野】
【０００１】
本発明は、撮像装置に関するものである。
【背景技術】
【０００２】
従来より、電子ビューファインダ（ＥＶＦ）及び背面液晶を備える撮像装置が知られている（例えば、特許文献１参照）。特許文献１に記載の撮像装置は、撮影待機状態においてはＥＶＦにスルー画を表示し、撮影後においてはＥＶＦにおけるスルー画の表示をオフすると共に背面液晶に撮影した画像の再生画像を表示する。撮影者は、ＥＶＦで被写体の観察をしながら撮影を行い、撮影後に背面液晶に表示される再生画像を確認画像として用いることで撮影した画像の出来具合を確認する。また撮影者は、背面液晶に表示される確認画像を用いて、記録するべき画像の選別も行っている。
【先行技術文献】
【特許文献】
【０００３】
【特許文献１】特開２００１−２７５０１７号公報
【発明の概要】
【発明が解決しようとする課題】
【０００４】
しかし、特許文献１に記載の撮像装置では、ＥＶＦによる被写体の観察を継続したままの状態で複数枚の画像の撮影、例えば連写撮影を行った場合、撮影直後は撮影した複数枚の画像のうち最後に撮影した画像の出来具合しか背面液晶で確認することができない。そのため撮影直後に、撮影した画像の中から記録する画像を選別しようとしても、最後に撮影した画像について記録をするか否かを判断することはできても、最後に撮影した画像以外の画像について判断することはできない。したがって、撮影者が撮影した複数枚の画像を最初から確認するとき、または記録する画像の選別を行うときは、別操作を行って撮影した画像の確認を行う必要があり、操作が煩わしいという問題がある。
【０００５】
本発明は、上記課題を鑑みてなされたものであって、ファインダによる被写体の観察を継続したままの状態で複数枚の画像の撮影を行った場合でも、撮影直後に複数枚の画像の確認画像を撮影した順に表示する撮像装置を提供することを目的とする。
【課題を解決するための手段】
【０００６】
本発明に係る撮像装置は、被写体からの光を撮像し画像データを出力する撮像部と、前記被写体を観察する観察部と、前記画像データに基づく画像を表示する表示部と、前記観察部において観察が行われているか否かを検出する観察検出センサと、前記観察部により観察が行われている間に前記撮像部により撮像された複数枚の画像を撮像された順序で１画像毎に前記表示部に表示する表示制御部とを備えることを特徴とする。
【発明の効果】
【０００７】
本発明に係る撮像装置によれば、ファインダによる被写体の観察を継続したままの状態で複数枚の画像の撮影を行った場合でも、撮影直後に複数枚の画像の確認画像を撮影した順に確認することができる。
【図面の簡単な説明】
【０００８】
【図１】実施の形態に係るカメラのシステム構成を示すブロック図である。
【図２】実施の形態に係るカメラの確認画像の表示設定を行うための画面を示す図である。
【図３】実施の形態に係るカメラの確認画像の表示設定を行うための画面を示す図である。
【図４】実施の形態に係るカメラの確認画像の表示設定を行うための画面を示す図である。
【図５】実施の形態に係るカメラの確認画像の表示処理を示すタイムチャートである。
【図６】実施の形態に係るカメラの確認画像の表示処理を示すタイムチャートである。
【図７】実施の形態に係るカメラの確認画像の表示処理を示すタイムチャートである。
【図８】実施の形態に係るカメラの確認画像の表示処理を示すタイムチャートである。
【発明を実施するための形態】
【０００９】
以下、図面を参照して本発明の実施の形態に係るカメラについて説明する。図１は、本実施形態に係るカメラのシステム構成を示すブロック図である。カメラ２は、ＣＰＵ４を備え、ＣＰＵ４には、撮影レンズ６を介した被写体光を撮像して撮像信号（蓄積電荷としてのアナログ信号）を生成する撮像素子８、撮像素子８から出力された撮像信号に対してＡ／Ｄ変換を行い画像データを生成する信号処理部１０、画像データを一時的に記憶するメモリ１２、画像データに対してホワイトバランス補正、階調補正等の処理を行う画像処理部１４、画像データをＪＰＥＧ等の圧縮方式で圧縮する圧縮部１６、画像データを記憶するメモリカード等の外部メモリ１８を装着するカードインタフェース２０、カメラ２の背面に設けられスルー画や確認画像、メニュー画面を表示する背面液晶（ＬＣＤ）表示部２２、ＬＵＤ表示部２２の表示制御を行うＬＣＤドライバ２４、被写体を観察するためのスルー画等を表示するＥＶＦ表示部２６、ＥＶＦ表示部２６の表示制御を行うＥＶＦドライバ２８、図示しない接眼部を介してＥＶＦ表示部２６に表示された被写体画像の観察が行われているか否かを検出するアイセンサ３０、アイセンサ３０による検出結果に基づいてスルー画や確認画像の出力先をＬＣＤ表示部２２またはＥＶＦ表示部２６に切り替える表示切替部３２、操作部３４が接続されている。
【００１０】
ここで、操作部３４は、画像の撮像指示を行うレリーズボタン３６、撮影モードを１枚の静止画を撮影する１コマ撮影モード、連写を行う連続撮影モードまたは動画撮影を行う動画撮影モードに切り替える切替スイッチ３７、メニュー操作等を行うマルチセレクタ３８を備えている。
【００１１】
次に、図面を参照して撮影直後の確認画像の表示処理について説明する。図２〜図４は、ＬＣＤ表示部に表示される確認画像の表示設定を行うための画面を示す図である。
【００１２】
図２は確認画像を表示するか否かの設定を行うための設定画面を示す図である。図２に示す設定画面４０はＬＣＤ表示部２２に表示され、撮影者はマルチセレクタ３８を用いて選択されている項目を示すカーソル４６を移動させ設定を行う。
【００１３】
図２において確認画像の表示について「する」が選択されると、図３に示すようにＬＣＤ表示部２２にスルー画及び確認画像の出力先を自動的にＬＣＤ表示部２２またはＥＶＦ表示部２６に切り替えるか否かを設定するための設定画面４２が表示される。
【００１４】
図３に示す設定画面４２において「する」が選択されると、図４に示すようにＬＣＤ表示部２２に確認画像の表示方法を設定するための設定画面４４が表示される。ここで、「最終撮影画像」が選択されると、ＥＶＦで被写体を観察した状態で行った直前の撮影動作において最後に撮影した画像１枚のみを確認画像として表示する。また、「ＥＶＦ表示中１枚目から」が選択されると、ＥＶＦで被写体を観察した状態で行った直前の撮影動作において撮影した画像の確認画像を１枚目から順次表示する。また、「連写１枚目」が選択されると、ＥＶＦで被写体を観察した状態で行った直前の撮影動作において連写で撮影した際の最初の画像から順次確認画像として表示する。また、「切替後はしない」が選択されると、図２及び図３における設定に関わらず撮影直後に確認画像の表示を行わない設定とする。
【００１５】
次に、図４において「ＥＶＦ表示中１枚目から」が選択された場合の撮影直後の確認画像の表示処理について、図５に示すタイムチャートを参照して説明する。
【００１６】
なお、図５〜図８の「アイセンサ」欄において、「ＯＦＦ」はアイセンサ３０により接眼部への撮影者の接眼が検出されていない状態を示し、「ＯＮ」はアイセンサ３０により接眼部への撮影者の接眼が検出されている状態を示している。「表示」欄は、表示切替部３２によりＬＣＤ表示部２２またはＥＶＦ表示部２６の何れにスルー画や確認画像を出力するかを示しており、「ＬＣＤ」はＬＣＤ表示部２２に出力する状態を示し、「ＥＶＦ」はＥＶＦ表示部２６に出力する状態を示している。「露光」欄は、撮像素子８による被写体の撮像動作状態を示しており、「ＯＮ」は撮像している状態、「ＯＦＦ」は撮像していない状態を示す。「表示画像」欄は、ＬＣＤ表示部２２またはＥＶＦ表示部２６に表示する画像の内容を示しており、「確認画像」は撮影した画像の出来具合を確認するための確認画像を表示する状態を示し、「スルー画」はスルー画を表示する状態を示し、「ブラックアウト」は何も表示しない状態を示す。
【００１７】
図５では、時刻Ｔ０において、「アイセンサ」欄の「ＯＦＦ」、「表示」欄の「ＬＣＤ」、「露光」欄の「ＯＦＦ」、「表示画像」の「スルー画」の状態からスタートする。これは、撮影者がファインダに接眼しておらず、ＬＣＤ表示部２２にスルー画が表示されている状態であることを示す。
【００１８】
時刻Ｔ１において、撮影者がファインダに接眼すると、アイセンサ３０は当該接眼を検出し、「アイセンサ」欄は「ＯＮ」となる。ＣＰＵ４は、アイセンサ３０の検出結果から、表示切替部３２を介してスルー画の出力先をＬＣＤ表示部２２からＥＶＦ表示部２６に切り替え、「表示」欄は「ＥＶＦ」となる。この時「表示画像」欄では、ＥＶＦ表示部２６において「スルー画」が表示されていることを示している。
【００１９】
時刻Ｔ２において、レリーズボタン３６により１枚の画像（１）の撮影が指示されると、ＣＰＵ４は撮像素子８による被写体の撮影を行い、「露光」欄は「ＯＮ」となる。「露光」欄が「ＯＦＦ」になる、つまり撮影が終わると、信号処理部１０・画像処理部１４・圧縮部１６により撮影された画像の確認画像作成処理を行う。確認画像作成処理中、ＥＶＦに表示されていたスルー画は消え、「表示画像」欄は「ブラックアウト」となる。作成された確認画像データは、メモリ１２に一時的に記憶され、ＥＶＦドライバ２８を介してＥＶＦ表示部２６に確認画像（１）として所定時間表示される。この時「表示画像」欄では、ＥＶＦ表示部２６において「確認画像」が表示されていることを示している。
【００２０】
次に、モード切替スイッチ３７を用いて撮影モードが連写モードに設定されたときについて説明する。時刻Ｔ３において、レリーズボタン３６により静止画像の連写撮影が指示されると、ＣＰＵ４は撮像素子８による被写体の連写撮影を行い、「露光」欄は連写撮影中「ＯＮ」と「ＯＦＦ」を繰り返す。図５では、連写撮影により画像（２）〜画像（７）の６枚の画像を連写撮影する例を示している。画像（２）の「露光」欄が「ＯＦＦ」になる、つまり撮影が終わると、信号処理部１０・画像処理部１４・圧縮部１６により撮影された画像の確認画像作成処理を行う。同様にして画像（３）〜（７）についても確認画像作成処理を行う。確認画像作成処理中、ＥＶＦ表示部２６に表示されていたスルー画は消え、「表示画像」欄は「ブラックアウト」となる。作成された確認画像データは、メモリ１２に一時的に記憶され、ＥＶＦドライバ２８を介してＥＶＦ表示部２６に確認画像として画像（２）から画像（７）まで撮影した順に所定時間表示される。確認画像表示中は、連写撮影を継続して行っていてもＥＶＦ表示部２６に確認画像を表示する。
【００２１】
連写撮影が終了し、時刻Ｔ４において、撮影者がファインダから眼を離すと、「アイセンサ」欄は「ＯＦＦ」となる。図５では、確認画像（４）の表示中に撮影者がファインダから眼を離す場合について示してある。アイセンサ３０の検出結果から、ＣＰＵ４は表示切替部３２を介してスルー画及び確認画像の出力先をＥＶＦ表示部２６からＬＣＤ表示部２２に切り替え、「表示」欄は「ＬＣＤ」となる。アイセンサ３０により撮影者の接眼が検出されなくなると、ＥＶＦ表示部２６に表示されていた確認画像は消え、「表示画像」欄は「ブラックアウト」となる。
【００２２】
そしてＣＰＵ４は、ＥＶＦで被写体を観察した状態で行った直前の撮影動作において撮影された画像の確認画像を、ＬＣＤドライバ２４を介して撮影された順序でＬＣＤ表示部２２に表示する。例えば、図５に示すように、撮影者がファインダに接眼している時刻Ｔ１〜Ｔ４の間に撮影した画像（１）〜（６）の出来具合を確認するために、確認画像（１）〜（６）を所定時間ずつＬＣＤ表示部２２に表示する。最後に撮影された画像（７）の確認画像（７）については、操作部３４を構成するいずれかの操作部材による操作が行われる時刻Ｔ５まで表示を継続する。また時刻Ｔ５において操作部材による操作が行われると、ＣＰＵ４はＬＣＤドライバ２４を介してＬＣＤ表示部２２にスルー画を表示する。
【００２３】
尚、図５においては、確認画像作成処理後にＥＶＦ表示部２６に撮影した画像の確認画像を表示する構成としたが、図６のタイムチャートに示すようにＥＶＦ表示部２６には撮影した画像の確認画像を表示しない構成としてもよい。
【００２４】
ここで、図６のタイムチャートについて説明する。図５のタイムチャートと同様に、時刻Ｔ０において、「アイセンサ」欄の「ＯＦＦ」、「表示」欄の「ＬＣＤ」、「露光」欄の「ＯＦＦ」、「表示画像」の「スルー画」の状態からスタートする。時刻Ｔ１において、撮影者がファインダに接眼すると、アイセンサ３０は当該接眼を検出し、「アイセンサ」欄は「ＯＮ」となる。アイセンサ３０の検出結果から、ＣＰＵ４は表示切替部３２を介してスルー画の出力先をＬＣＤ表示部２２からＥＶＦ表示部２６に切り替え、「表示」欄は「ＥＶＦ」となる。「表示画像」欄では、ＥＶＦ表示部２６において「スルー画」が表示されていることを示している。
【００２５】
時刻Ｔ２において、レリーズボタン３６により１枚の画像（１）の撮影が指示されると、ＣＰＵ４は撮像素子８による被写体の撮影を行い、「露光」欄は「ＯＮ」となる。露光開始と同時に、ＥＶＦ表示部２６に表示されていたスルー画が所定時間消え、「表示画像」欄は当該所定時間「ブラックアウト」となる。その後、ＥＶＦ表示部２６にスルー画の表示を再開する。「露光」欄が「ＯＦＦ」になる、つまり撮影が終わると、信号処理部１０・画像処理部１４・圧縮部１６により撮影された画像の確認画像作成処理（図示せず）を行う。作成された確認画像データは、メモリ１２に一時的に記憶される。
【００２６】
次に、モード切替スイッチ３７を用いて撮影モードが連写モードに設定されたときについて説明する。時刻Ｔ３において、レリーズボタン３６により静止画像の連写撮影が指示されると、ＣＰＵ４は撮像素子８による被写体の連写撮影を行い、「露光」欄は連写撮影中「ＯＮ」と「ＯＦＦ」を繰り返す。図６では、連写撮影により画像（２）〜画像（７）の６枚の画像を連写撮影する例を示している。連写撮影中、各画像の露光開始と同時にＥＶＦ表示部２６に表示されていたスルー画が所定時間消え、当該所定時間後にスルー画表示が再開する動作を繰り返す。「表示画像」欄は「ブラックアウト」と「スルー画」を繰り返す。「露光」欄が「ＯＦＦ」になる、つまり撮影が終わると、信号処理部１０・画像処理部１４・圧縮部１６により撮影された画像の確認画像作成処理（不図示）を行う。作成された確認画像データ（２）〜（７）は、メモリ１２に一時的に記憶される。
【００２７】
連写撮影が終了し、時刻Ｔ４において、撮影者がファインダから眼を離すと、「アイセンサ」欄は「ＯＦＦ」となる。アイセンサ３０の検出結果から、ＣＰＵ４は表示切替部３２を介してスルー画及び確認画像の出力先をＥＶＦ表示部２６からＬＣＤ表示部２２に切り替え、「表示」欄は「ＬＣＤ」となる。アイセンサ３０により撮影者の接眼が検出されなくなると、ＥＶＦ表示部２６に表示されていたスルー画は消え、「表示画像」欄は「ブラックアウト」となる。
【００２８】
そしてＣＰＵ４は、ＥＶＦで被写体を観察した状態で行った直前の撮影動作において撮影された画像の確認画像を、ＬＣＤドライバ２４を介して撮影された順序でＬＣＤ表示部２２に表示する。例えば、図６に示すように、撮影者がファインダに接眼している時刻Ｔ１〜Ｔ４の間に撮影した画像（１）〜（６）の出来具合を確認するために、確認画像（１）〜（６）を所定時間ずつＬＣＤ表示部２２に表示する。最後に撮影された画像（７）の確認画像（７）については、操作部３４を構成するいずれかの操作部材の操作が行われる時刻Ｔ５まで表示を継続する。また、時刻Ｔ５において操作部材の操作が行われると、ＣＰＵ４はＬＣＤドライバ２４を介してＬＣＤ表示部２２にスルー画を表示する。
【００２９】
次に、図４において「連写１枚目から」が選択された場合の撮影直後の確認画像の表示処理について図７に示すタイムチャートを参照して説明する。
【００３０】
図７の時刻Ｔ０〜Ｔ４間における処理は、図５の時刻Ｔ０〜Ｔ４に間おける処理と同様であるため説明は省略する。連写撮影が終了し、時刻Ｔ４において、撮影者がファインダから眼を離すと、「アイセンサ」欄は「ＯＦＦ」となる。アイセンサ３０の検出結果から、ＣＰＵ４は表示切替部３２を介してスルー画及び確認画像の出力先をＥＶＦ表示部２６からＬＣＤ表示部２２に切り替え、「表示」欄は「ＬＣＤ」となる。アイセンサ３０により撮影者の接眼が検出されなくなると、ＥＶＦ表示部２６に表示されていた確認画像は消え、「表示画像」欄は「ブラックアウト」となる。
【００３１】
そしてＣＰＵ４は、ＥＶＦで被写体を観察した状態で行った直前の連写撮影動作において撮影された画像の確認画像を、ＬＣＤドライバ２４を介して連写撮影された順序でＬＣＤ表示部２２に表示する。例えば、図７に示すように、撮影者が時刻Ｔ３〜Ｔ４の間に連写撮影した画像（２）〜（６）の出来具合を確認するために、確認画像（２）〜（６）を所定時間ずつＬＣＤ表示部２２に表示する。最後に撮影された画像（７）の確認画像（７）については、操作部３４を構成するいずれかの操作部材による操作が行われる時刻Ｔ５まで表示を継続する。また時刻Ｔ５において操作部材の操作が行われると、ＣＰＵ４はＬＣＤドライバ２４を介してＬＣＤ２２にスルー画を表示する。
【００３２】
尚、図７においては、確認画像作成処理後にＥＶＦ表示部２６に撮影した画像の確認画像を表示する構成としたが、図８のタイムチャートに示すようにＥＶＦ表示部２６には撮影した画像の確認画像を表示しない構成としてもよい。図８のタイムチャートは、時刻Ｔ０〜Ｔ４間は図６のタイムチャートと、時刻Ｔ４以降は図７と同様であるため詳細な説明は省略する。
【００３３】
上述した本実施形態に係るカメラによれば、ファインダによる被写体の観察を継続したままの状態で複数枚の画像の撮影を行った場合でも、撮影直後に複数枚の画像を撮影した順に確認することができる。
【００３４】
尚、本実施形態においてはカメラ２がＥＶＦを備える構成としたが、光学ファインダを備える構成としてもよい。
【００３５】
尚、確認画像データは一時的ではなく、メモリ１２もしくは外部メモリ１８に記憶してもよい。
【００３６】
尚、図５及至図８において、最後に撮影された画像（７）の確認画像（７）は、操作部３４を構成するいずれかの操作部材による操作が行われる時刻Ｔ５まで表示を継続するとしたが、画像（１）〜（６）の確認画像（１）〜（６）と同様に所定時間だけＬＣＤ表示部２２に表示されるようにしてもよい。
【００３７】
尚、本実施形態の図６及び図８に示すタイムチャートにおいて、露光開始と同時に、ＥＶＦ表示部２６に表示されていたスルー画が所定時間だけ消える構成としたが、ＥＶＦ表示部２６にスルー画を表示し続けるようにしてもよい。
【００３８】
尚、上述の本実施形態においては静止画撮影のみを行う場合について説明したが、動画撮影を行う場合にも確認画像を表示する構成としてもよい。例えば、動画撮影中に、ファインダを介して被写体を観察した状態で複数枚の静止画撮影を行うときを考える。ファインダを介して被写体を観察しているので、ＥＶＦ表示部２６にスルー画（撮影中の動画像）が表示されている。撮影者がファインダから眼を離すと、ＣＰＵ４は表示切替部３２を介してスルー画の出力先をＥＶＦ表示部２６からＬＣＤ表示部２２に切り替える。ＬＣＤドライバ２４はスルー画（撮影中の動画像）がＬＣＤ表示部２２に表示されると共に、ファインダで被写体を観察した状態で行った直前の撮影動作において撮影された複数枚の静止画を撮影された順序でＬＣＤ表示部２２の一部に表示するようにしてもよい。
【００３９】
尚、本実施形態においては、アイセンサ３０を用いて撮影者のファインダへの接眼を検出する構成としたが、撮影者がファインダを介して被写体を観察しているか否かを判定できるセンサであればどのようなセンサでもよい。例えば、傾斜角センサを用いてカメラ２の姿勢を判定することにより撮影者がファインダを介して被写体を観察しているか否かを判定してもよい。
【００４０】
尚、レリーズボタン３６に接触しているか否かを検出し確認画像を表示するようにしてもよい。この場合、撮影者の指がレリーズボタン３６に接触しているか否かを検出するセンサをさらに設ける。撮影者がファインダを介して被写体を観察している状態で、レリーズボタン３６から指を離すと、撮影者がファインダを介して被写体の観察を開始してからレリーズボタン３６から指を離すまでの間に撮影された画像の確認画像をＥＶＦ表示部２６に表示する。
【００４１】
また、撮影者がファインダから眼を離し、スルー画がＬＣＤ表示部２２に表示されているときに、撮影者の指がレリーズボタン３６に接触している場合は、確認画像の表示を行わず、ＬＣＤ表示部２２にはスルー画を表示する。撮影者の指がレリーズボタン３６から離れると、ＬＣＤドライバ２４は撮影者がファインダを介して被写体の観察を開始してからレリーズボタン３６から指を離すまでの間に撮影された画像の確認画像をＬＣＤ表示部２２に表示する。
【符号の説明】
【００４２】
２…カメラ、４…ＣＰＵ、８…撮像素子、１２…メモリ、２２…ＬＣＤ表示部、２４…ＬＣＤドライバ、２６…ＥＶＦ表示部、２８…ＥＶＦドライバ、３０…アイセンサ、３２…表示切替部
【図１】
2012129670.tif 000003
【図２】
2012129670.tif 000004
【図３】
2012129670.tif 000005
【図４】
2012129670.tif 000006
【図５】
2012129670.tif 000007
【図６】
2012129670.tif 000008
【図７】
2012129670.tif 000009
【図８】
2012129670.tif 000010